(57)【要約】      （修正有）【課題】対象物の情報を正確に読み取ることが可能な情報処理装置を提供する。【解決手段】情報処理装置１は、傾斜した読取面２０を有するとともに、読取面２０に対向する対象物から情報を読み取る読取部２と、読取面２０の周縁部のうち、上縁部の少なくとも一部に形成された突出部２ｃとを備える。【選択図】図１
2019153148.tif 000002
【特許請求の範囲】
【請求項１】
傾斜した読取面を有するとともに、前記読取面に対向する対象物から情報を読み取る読取部と、
前記読取面の周縁部のうち、上縁部の少なくとも一部に形成された突出部と、
を備えることを特徴とする情報処理装置。
【請求項２】
凹部が形成されたフロントパネルを備え、
前記読取部は前記凹部内に設けられ、前記突出部は前記凹部の内壁によって形成されることを特徴とする請求項１に記載の情報処理装置。
【請求項３】
前記読取面は、前記上縁部に対向する下縁部と、前記下縁部および前記上縁部のそれぞれの端部を繋ぐ第１の側縁部および第２の側縁部とを備え、
前記突出部は、前記第１の側縁部に形成された第１の突出部と、前記第２の側縁部に形成された第２の突出部と、前記上縁部に形成された第３の突出部とを含み、
前記第１の突出部および前記第２の突出部の前記読取面に対するそれぞれの高さは、前記上縁部から前記下縁部に向かって低くなる請求項２に記載の情報処理装置。
【請求項４】
タッチパネルを更に備え、
前記読取面の接地面に対する傾斜角は前記タッチパネルの接地面に対する傾斜角よりも小さいことを特徴とする請求項１乃至３のいずれか１項に記載の情報処理装置。
【請求項５】
前記読取面の接地面に対する傾斜角は３５°乃至５５°であることを特徴とする請求項４に記載の情報処理装置。
【請求項６】
前記読取面の接地面に対する傾斜角は前記タッチパネルの接地面に対する傾斜角よりも２０°乃至４０°小さいことを特徴とする請求項４に記載の情報処理装置。
【請求項７】
前記読取部の上方に設けられるととともに、前記対象物の所有者を認証するための認証情報入力部を備えることを特徴とする請求項１乃至６のいずれか１項に記載の情報処理装置。
【請求項８】
前記読取部と前記タッチパネルとの間に設けられた磁気カード読み取り部を備えることを特徴とする請求項４に記載の情報処理装置。
【請求項９】
前記読取部の前記上縁部に対向する下縁部の長さは、旅券の長辺よりも長いことを特徴とする請求項１または２に記載の情報処理装置。
【発明の詳細な説明】
【技術分野】
【０００１】
本発明は情報処理装置に関する。
【背景技術】
【０００２】
特許文献１には、商品が滑走可能な傾斜面を備えたバーコードスキャナが開示されている。このバーコードスキャナは、傾斜面上に商品を滑走させることにより、商品に付されたバーコードを自動的に読み取っている。
【先行技術文献】
【特許文献】
【０００３】
【特許文献１】特開平２−２７８４８４号公報
【発明の概要】
【発明が解決しようとする課題】
【０００４】
しかしながら、特許文献１に記載の装置は、対象物を滑走させながら読み取りを行うものであるため、傾斜面における対象物の位置は不安定となる。このため、対象物の情報を正確に読み取ることは困難となる。
【０００５】
本発明は、上述の課題に鑑みてなされたものであって、対象物を適切な位置に導くことで、情報を適切に読み取ることが可能な情報処理装置を提供することを目的とする。
【課題を解決するための手段】
【０００６】
本発明の一観点によれば、傾斜した読取面を有するとともに、前記読取面に対向する対象物から情報を読み取る読取部と、前記読取面の周縁部のうち、上縁部の少なくとも一部に形成された突出部と、を備える情報処理装置が提供される。
【発明の効果】
【０００７】
本発明によれば、対象物を適切な位置に導くことで、対象物の情報を適切に読み取ることが可能な情報処理装置を提供することが可能となる。
【図面の簡単な説明】
【０００８】
【図１】第１実施形態における情報処理装置の外観図である。
【図２】第１実施形態における情報処理装置のブロック図である。
【図３】第１実施形態における読取部の平面図である。
【図４】第１実施形態における情報処理装置の断面図である。
【図５】第１実施形態における読取部における操作を説明するための図である。
【図６】第１実施形態における読取部における操作を説明するための図である。
【図７】第２実施形態における情報処理装置の断面図である。
【図８】第３実施形態における情報処理装置の断面図である。
【図９】第４実施形態における情報処理装置の概略構成図である。
【発明を実施するための形態】
【０００９】
以下、図面を参照して、本発明の実施形態を説明する。
【００１０】
［第１実施形態］
図１は、本実施形態における情報処理装置１の外観図である。情報処理装置１は、例えばセルフ式のＰＯＳ（Ｐｏｉｎｔ  Ｏｆ  Ｓａｌｅｓ）端末、キオスク端末、チェックイン端末、情報提供端末として商取引の決済のために使用可能である。情報処理装置１は、店舗、宿泊施設、サービスカウンタなどに設置される。情報処理装置１のユーザは顧客、店員、サービス提供者を含み得る。
【００１１】
情報処理装置１は、フロントパネル１０ａ、１０ｂ、サイドパネル１０ｃ、１０ｄを含む筐体を備える。フロントパネル１０ｂ、サイドパネル１０ｃ、１０ｄは図示されていないボトムパネルに対して鉛直に連接され、フロントパネル１０ａはフロントパネル１０ｂに対して所定の角度で連接されている。フロントパネル１０ａには、読取部２、タッチパネル３、カード処理部４、磁気リーダ５、プリンタ６、硬貨投入口７、紙幣入出金口８が設けられ、フロントパネル１０ｂにはつり銭出金口９が設けられている。情報処理装置１は床、棚などの水平な接地面上に設置された場合、フロントパネル１０ｂと設置面のなす角度は鉛直となり、フロントパネル１０ａは接地面に対して所定の角度だけ傾斜している。
【００１２】
読取部２は、接地面に対して傾斜した読取面２０を備え、読取面２０に対向する対象物からバーコード、ＱＲコード、文字、数字、画像などの情報を読み取り可能である。また、読取部２は、光学読み取りだけでなく、ＲＦ（Ｒａｄｉｏ  Ｆｒｅｑｕｅｎｃｙ）タグ、ＮＦＣ（Ｎｅａｒ  Ｆｉｅｌｄ  Ｃｏｍｍｕｎｉｃａｔｉｏｎ）などの無線通信を用いた読み取りを行うことも可能である。対象物は、商品、タグ、カード、請求書、旅券、会員証、クーポン、レシート、携帯端末などであり得る。携帯端末はディスプレイ上の情報を読取部２に読み取らせることもでき、無線通信によって情報を読取部２に読み取らせることも可能である。
【００１３】
読取部２は、フロントパネル１０ａに形成された凹部内に設けられ、傾斜した読取面２０を備える。読取面２０は矩形をなし、読取面２０の周縁部は、下側に位置する下縁部２０１と、下縁部２０１に対向する上縁部と、下縁部２０１および上縁部のそれぞれの端部を繋ぐ第１の側縁部および第２の側縁部とを含む。読取面２０は、下縁部２０１においてフロントパネル１０ａと異なる角度で連接され、下縁部２０１は角部を形成している。読取面２０の周縁部のうち、下縁部２０１以外の縁部には読取面から突出した壁状の突出部が形成されている。すなわち、第１の側縁部には突出部２ａが形成され、第２の縁部には突出部２ｂが形成されている。また、上縁部には突出部２ｃが形成されている。また、突出部２ａ、２ｂ、２ｃはフロントパネル１０ａの凹部の内壁を構成し、突出部２ａ、２ｂ、２ｃはフロントパネル１０ａに連接されている。ユーザは、読み取り対象物を突出部２ａ、２ｂ、２ｃで囲まれた空間に位置させることができるため、読取面２０における対象物の位置を正しく定めることができる。さらに、旅券などの冊子状の対象物においても、冊子の綴じ部を下縁部２０１に当接させることにより、読取面２０における対象物の位置を定めることができる。このような構成により、読取部２は対象物から情報を正しく読み取ることが可能となる。
【００１４】
タッチパネル３は、フロントパネル１０ａにおいて読取部２の近傍に設けられている。タッチパネル３は、ディスプレイおよびタッチセンサを備え、ユーザに向けた画面を表示するとともに、ユーザからの操作を入力する。例えば、タッチパネル３は、情報処理装置１の操作手順、読取部２によって読み取られた情報、入金された金額、商品またはサービスの金額、ユーザに対する広告などを表示可能である。
【００１５】
カード処理部（認証情報入力部）４は、フロントパネル１０ａにおいて読取部２の上方に設けられている。カード処理部４は、カードリーダ４ａ、表示部４ｂ、操作ボタン４ｃを備える。カードリーダ４ａは、クレジットカード、会員カード、カードキーなどのカード状の媒体から情報を読み取り可能である。表示部４ｂは液晶または有機発光素子からなり、会計金額、操作内容を表示可能である。操作ボタン４ｃは、暗証番号などの認証情報を入力するために用いられる。
【００１６】
磁気リーダ（磁気カード読み取り部）５は、フロントパネル１０ａにおいてタッチパネル３とカード処理部４との間に設けられている。磁気リーダ５は、フロントパネル１０ａに形成されたガイド溝と、ガイド溝内に設けられた磁気ヘッドとを備える。ユーザがカードをガイド溝に挿入し、下方にスライドさせることにより、磁気ヘッドはカード上の磁気ストライプに記録された磁気情報を読み取ることができる。読み取り対象となるカードは、磁気ストライプを有するものであればその種類を問わず、クレジットカード、プリペイドカード、会員カード、カードキーを含み得る。
【００１７】
プリンタ６は、フロントパネル１０ａにおいて読取部２とカード処理部４との間に設けられている。プリンタ６は、会計レシート、商品またはサービスの情報、部屋番号、領収証などを印刷するために用いられる。
【００１８】
硬貨投入口７はフロントパネル１０ａにおいて読取部２の下方に設けられている。硬貨投入口７は硬貨搬送機構、硬貨選別機構、硬貨収納庫に繋がっている。硬貨投入口７に投入された硬貨は、硬貨選別機構によって金種毎に選別され、硬貨収納庫に収納される。
【００１９】
紙幣入出金口８はフロントパネル１０ａにおいて読取部２の下方であって硬貨投入口７の側方に設けられている。紙幣入出金口８は紙幣搬送機構、紙幣選別機構、紙幣収納庫に繋がっている。紙幣入出金口８に投入された紙幣は、紙幣選別機構によって金種毎に選別され、紙幣収納庫に収納される。
【００２０】
つり銭出金口９は、下側のフロントパネル１０ｂに設けられている。投入された硬貨または紙幣においてつり銭が発生した場合、つり銭のうちの硬貨がつり銭出金口９から払い出される。つり銭のうちの紙幣は、上述した紙幣入出金口８に払い出される。
【００２１】
図２は情報処理装置１のブロック図である。情報処理装置１は、バス１００、ＣＰＵ（Ｃｅｎｔｒａｌ  Ｐｒｏｃｅｓｓｉｇ  Ｕｎｉｔ）１０１、ＲＯＭ（Ｒｅａｄ  Ｏｎｌｙ  Ｍｅｍｏｒｙ）１０２、ＲＡＭ（Ｒａｎｄｏｍ  Ａｃｃｅｓｓ  Ｍｅｍｏｒｙ）１０３、ＨＤＤ（Ｈａｒｄ  Ｄｉｓｃ  Ｄｒｉｖｅ）１０４、カードリーダ４ａ、表示部４ｂ、操作ボタン４ｃ、磁気リーダ５、プリンタ６、硬貨処理部７ａ、紙幣処理部８ａ、つり銭処理部９ａを備える。さらに、情報処理装置１は、ＬＡＮインターフェース（ＬＡＮ  Ｉ／Ｆ：Ｌｏｃａｌ  Ａｒｅａ  Ｎｅｔｗｏｒｋ  Ｉｎｔｅｒｆａｃｅ）１０５、音声処理部１０６、タッチセンサ３ａ、ディスプレイ３ｂ、撮像部２１、ＮＦＣリーダ２２、ＬＥＤ（Ｌｉｇｈｔ  Ｅｍｉｔｔｉｎｇ  Ｄｉｏｄｅ）２３を備える。上述の各ユニットはバス１００を介して相互に接続されている。
【００２２】
ＣＰＵ１０１は、予め定められたアプリケーションプログラムに従い、情報処理装置１全体の動作を制御する。ＲＯＭ１０２はマスクメモリ、不揮発性メモリなどのように、電源遮断後においても記憶内容を保持し続ける。ＲＯＭ１０２には、電源投入時のブートプログラムなどが書き込まれる。ＲＡＭ１０３はＣＰＵ１０１の動作のためのワークエリアとして用いられる。ＨＤＤ１０４は上述のアプリケーションプログラム、オペレーティングシステム、商取引のためのデータベース、顧客情報などを保存可能である。また、ＨＤＤ１０４に代えてＳＳＤ（Ｓｏｌｉｄ  Ｓｔａｔｅ  Ｄｒｉｖｅ）を用いても良い。
【００２３】
カードリーダ４ａ、表示部４ｂ、操作ボタン４ｃは、上述したようにカード処理部４を構成している。なお、図示されていないが、カード処理部４は、カード処理部４を制御するための制御部と、カード処理部４およびＣＰＵ１０１の間の通信を司る通信部とをさらに備える。
【００２４】
磁気リーダ５は、カード上の磁気ストライプの磁気情報を読み取る磁気ヘッドと、磁気ヘッドから出力信号をデコードするデコード回路を備える。デコードされた信号は、ＣＰＵ１０１によってユーザの識別、商取引の決済などに使用される。
【００２５】
プリンタ６はインクヘッド、給紙機構、制御回路を備える。給紙機構はロール紙の搬送機構、ロール紙の切断機構を含み得る。また、印字方式はインクジェット式に限られず、感熱式であっても良い。
【００２６】
硬貨処理部７ａは、硬貨投入口７から投入された硬貨を搬送する搬送機構と、硬貨の種別を検出するセンサ、種別毎に硬貨を選別する硬貨選別機構と、硬貨を収納する硬貨収納庫と、硬貨処理部７ａの動作を制御する制御回路とを備える。硬貨処理部７ａは、センサによって検出された硬貨の種別に応じて、投入された硬貨を種別毎に硬貨収納庫に収納する。制御回路が、投入された硬貨がいずれの種別にも属さないと判断した場合には、搬送機構は投入された硬貨をつり銭出金口９に排出する。
【００２７】
紙幣処理部８ａは、紙幣搬送機構と、紙幣の種別を検出するセンサ、種別毎に紙幣を選別する紙幣選別機構と、紙幣を種別毎に計数するカウンタと、紙幣を収納する紙幣収納庫と、紙幣処理部８ａの動作を制御する制御回路とを備え、紙幣入出金口８における紙幣の入出金を処理する。紙幣処理部８ａは入金された紙幣を種別毎に紙幣収納庫に収納するとともに、つり銭としての紙幣を紙幣入出金口８に払い出す。また、センサが紙幣の種別に該当しない異物を検出すると、紙幣搬送機構は異物を紙幣入出金口８に排出する。
【００２８】
つり銭処理部９ａは、つり銭を構成する硬貨または紙幣の種別を決定する制御部と、つり銭の硬貨を硬貨収納庫からつり銭出金口９に払い出し、またはつり銭の紙幣を紙幣収納庫から紙幣入出金口８に払い出す搬送機構とを備える。
【００２９】
ＬＡＮインターフェース１０５は有線または無線の通信インターフェースからなり、サーバ１５と通信を行う。サーバ１５は店舗サーバ、クラウドサーバなどであって、顧客データベース、商品データベースを記憶する。
【００３０】
音声処理部１０６は、音声データをアナログ信号に変換するデジタル・アナログ変換回路と、アナログ信号を増幅するとともにスピーカを駆動する増幅回路とを備える。音声処理部１０６は情報処理装置１の操作に関するガイド音声のみならず、音楽、警告音なども出力可能である。
【００３１】
タッチセンサ３ａ、ディスプレイ３ｂはタッチパネル３を構成している。ディスプレイ３ｂは液晶ディスプレイまたは有機発光ディスプレイから構成され、画像信号の輝度変換を行う画像処理回路、画素を駆動する駆動回路などを備える。タッチセンサ３ａは、静電容量センサまたは抵抗式の感圧センサから構成され、ディスプレイ３ｂ上にマトリクス状に配列されている。
【００３２】
撮像部２１、ＮＦＣリーダ２２、ＬＥＤ２３は読取部２を構成している。撮像部２１は、レンズ光学系、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサまたはＣＣＤ（Ｃｈａｒｇｅ  Ｃｏｕｐｌｅｄ  Ｄｅｖｉｃｅ）センサ、アナログ・デジタル変換回路、画像処理回路を備える。ＮＦＣリーダ２２は、送受信アンテナ、高周波回路、検波回路、変調回路等を備える。ＬＥＤ２３は例えば複数のＬＥＤアレイから構成され、読み取り対象物を均一に照射する。
【００３３】
図３は読取面２０の平面図である。読取面２０は矩形のガラスなどから構成され、中央部には光を透過可能な光透過部２０ａが設けられている。光透過部２０ａの周囲には枠部２０ｂが設けられ、枠部２０ｂの周縁部は下縁部２０１、上縁部２０２、第１の側縁部２０３、第２の側縁部２０４から構成されている。下縁部２０１は傾斜した読取面２０の下側に位置し、上縁部２０２は下縁部２０１に対向している。下縁部２０１、上縁部２０２のそれぞれの端部は第１の側縁部２０３、第２の側縁部２０４のそれぞれの端部を繋いでいる。すなわち、第１の側縁部２０３、第２の側縁部２０４は下縁部２０１、上縁部２０２と直角をなし、第１の側縁部２０３、第２の側縁部２０４は互いに対向している。
【００３４】
読取面２０において旅券を載置させるため、下縁部２０１、上縁部２０２の長さは旅券の長辺の長さよりも長いことが好ましい。また、読取面２０は必ずしも矩形であることを要せず、カード、旅券、商品などの情報を読み取り可能であれば、四角形を超える多角形、台形、半円、楕円などであっても良い。
【００３５】
図４は本実施形態における情報処理装置１の断面図であって、サイドパネル１０ｃ、１０ｄに平行な面で読取部２を破断した断面図である。
【００３６】
読取面２０の下方には撮像部２１、ＮＦＣリーダ２２、ＬＥＤ２３が設けられている。説明の簡略化のため、図４においては１つのＬＥＤ２３のみが示されているが、ＬＥＤ２３をアレイ状に配置しても良い。これにより、対象物に対して照明光を均一に照射することができる。フロントパネル１０ａには、突出部２ａ、２ｂ、２ｃを内壁とする凹部が形成され、凹部には読取面２０が嵌入している。読取面２０の下縁部２０１はフロントパネル１０ａと連接され、下縁部２０１に対向する上縁部２０２は矩形をなす突出部２ｃに連接している。突出部２ｃは上縁部２０２から読取面２０に対して鉛直に延在している。また、突出部２ａは第１の側縁部２０３から読取面２０に対して鉛直に延在し、突出部２ｂは第２の側縁部２０４から読取面２０に対して鉛直に延在している。突出部２ａ、２ｂは略直角三角形をなし、読取面２０に対する突出部２ａ、２ｂの高さは上縁部２０２から下縁部２０１に向かって低くなっている。
【００３７】
図４に示されたように、読取面２０の接地面に対する傾斜角αはタッチパネル３の接地面に対する傾斜角βよりも小さい。ユーザはタッチパネル３を見ながらタッチパネル３の表面に触れるため、ユーザの視線が水平または少し下方を向く程度にタッチパネル３を傾斜させると良い。例えば、タッチパネル３の傾斜角βは５５°乃至９５°であることが好ましい。一方、読取面２０においては、ユーザはカード、携帯端末などの対象物を把持しながら、対象物を読取面２０に対して対向させる必要がある。手首の自然な角度を考慮すると、読取面２０の傾斜角αはタッチパネル３の傾斜角βよりも小さいことが好ましく、例えば、読取面の傾斜角αはタッチパネル３の傾斜角βよりも２０°乃至４０°小さい。一例として、読取面２０の傾斜角αを４５°、タッチパネル３の傾斜角βを７５°としても良い。このように、読取面２０の傾斜角αをタッチパネル３の傾斜角βよりも小さくすることにより、ユーザは自然な姿勢でタッチパネル３を操作しながら読取面２０において対象物を読み取らせることが可能となる。さらに、読取面２０を傾斜させることにより、情報処理装置１の筐体の奥行きを短くすることができ、情報処理装置１を小型化することも可能となる。これにより、狭い店内、施設内においても、本実施形態における情報処理装置１を設置することができる。
【００３８】
また、読取面２０は下縁部２０１において角度γでフロントパネル１０ａと連接している。下縁部２０１が角部を形成するように、角度γは１８０°未満、好ましくは１５０°未満であると良い。ユーザは旅券などの冊子の綴じ部を下縁部２０１に当接させることにより、読取面２０における対象物の位置を定めることができる。
【００３９】
図５は本実施形態における読取部２における操作を説明するための図であって、携帯端末５０１の情報を読み取る際の読取部２の断面図を表している。
【００４０】
読取部２はスマートフォンなどの携帯端末５０１に表示されたバーコード、文字、画像を読み取ることが可能である。ユーザは携帯端末５０１を片手で把持しながら、携帯端末５０１のディスプレイを読取面２０に対向させる。携帯端末５０１は読取面２０から離間していても良く、読取面２０上に載置されても良い。この際、携帯端末５０１は突出部２ａ、２ｂ、２ｃに囲まれた空間内に位置するため、ユーザは携帯端末５０１を読取面２０に対して正しい位置に定めることができる。また、ユーザが携帯端末５０１の端部を突出部２ａ、２ｂ、２ｃに当接させ、撮像時における携帯端末５０１の位置ずれを回避しても良い。
【００４１】
読取部２が携帯端末５０１から情報を正しく読み取ると、情報処理装置１はタッチパネル３または音声処理部１０６を通じて読取終了のメッセージをユーザに通知する。ユーザは携帯端末５０１を読取面２０から持ち上げることにより、読取操作が終了する。本実施形態においては、読取面２０が傾斜しており、かつ、読取面２０の下縁部２０１には突出部が設けられていない。このため、ユーザが携帯端末５０１を読取面２０に置き忘れたとしても、携帯端末５０１は読取面２０から下方に滑り落ちる。よって、ユーザは携帯端末５０１の置き忘れに即座に気付くことができる。なお、携帯端末５０１以外のカード、会員証、商品、タグ、請求書、旅券、クーポン、レシートなどの対象物においても、正確な読み取りおよび置き忘れの防止という格別の効果を奏することが可能である。
【００４２】
図６は本実施形態における読取部２における操作を説明するための図であって、旅券５０２の情報を読み取る際の読取部２の断面図を表している。
【００４３】
本実施形態における読取部２は旅券５０２などの冊子状の対象物を読み取ることも可能である。ユーザは旅券５０２を開き、読み取り対象となるページ５０２ａを読取面２０に載置する。この際、ユーザは旅券５０２の綴じ部５０２ｂを下縁部２０１に合わせることで、ページ５０２ａを読取面２０上において正しい位置に容易に定めることができる。すなわち、下縁部２０１は角部を形成しているため、綴じ部５０２ｂを下縁部２０１に対して押圧することで、綴じ部５０２ｂを下縁部２０１の位置に合わせることができる。また、旅券５０２が開き難い場合であっても、読み取り対象となるページ５０２ａにおける綴じ部５０２ｂの近傍部分において、ページ５０２が読取面２０から浮いてしまうのを回避することも可能となる。
【００４４】
さらに、旅券５０２は、突出部２ａ、２ｂ、２ｃに囲まれた空間内に位置するため、ユーザは旅券５０２を読取面２０に対して正しい位置に定めることができる。また、旅券５０２の端部を突出部２ａ、２ｂ、２ｃに当接させることにより、撮像時における旅券５０２の位置を固定しても良い。
【００４５】
以上述べたように、本実施形態において、読取面２０の周縁部には突出部が形成されているため、対象物を突出部で囲まれた空間に位置させることができ、対象物から情報を正しく読み取ることができる。また、読取面２０は傾斜し、読取面２０の下縁部２０１には突出部が形成されていない。このため、ユーザが対象物を読取面２０に置き忘れたとしても、対象物は読取面２０から滑り落ちるため、ユーザは対象物の置き忘れに即座に気付くことができる。
【００４６】
また、本実施形態において、読取面２０の傾斜角αはタッチパネル３の傾斜角βよりも小さい。タッチパネル３、読取部２はそれぞれの操作に適した傾斜角を有するため、ユーザは自然な姿勢でタッチパネル３、読取部２を操作することができる。さらに、読取面２０の下縁部２０１は角部を構成しているため、旅券のように冊子状の対象物の綴じ部を下縁部２０１に合わせることができ、冊子状の対象物を読取面２０において正しい位置に定めることができる。
【００４７】
［第２実施形態］
続いて、本実施形態における情報処理装置を説明する。以下の説明において、第１実施形態と異なる構成を中心に説明し、第１実施形態と同様の構成についてはその説明を省略する。
【００４８】
図７は本実施形態における情報処理装置の断面図であって、サイドパネル１０ｃ、１０ｄに平行な面で読取部２を破断した断面図を表している。本実施形態の読取部２においては、読取面２０はフロントパネル１０ａから前方に突出して設けられている。本実施形態においても、読取面２０は接地面に対して傾斜角αで傾斜している。このため、ユーザが読取面２０上に対象物を置き忘れたとしても、対象物は読取面２０から滑り落ちるため、ユーザは対象物の置き忘れに即座に気が付くことができる。
【００４９】
読取面２０の下縁部２０１は下側のフロントパネル１０ａに対して前方に位置し、下縁部２０１は板部１１を介して下側のフロントパネル１０ａに連接されている。下縁部２０１は板部１１と角度γ’をなし、下縁部２０１は角部を形成している。角度γ’は第１実施形態における角度γよりも小さいため、旅券などの冊子の綴じ部を下縁部２０１に合わせ易くなる。
【００５０】
上縁部２０２は突出部を介さずに上側のフロントパネル１０ａ’に連接されている。タッチパネル３の接地面に対する傾斜角をβとすると、読取面２０と上側のフロントパネル１０ａ’との角度は（α＋β）となる。第１実施形態で説明した傾斜角α、βの例によれば、角度（α＋β）は１８０°未満となることから、上側のフロントパネル１０ａ’は読取面２０に対して突出部として機能し得る。従って、本実施形態においても、読取面２０の上縁部２０２において対象物の上限位置を定めることができる。
【００５１】
第１の側縁部２０３、第２の側縁部２０４においては、板状の突出部２ａ’、２ｂ’がそれぞれ読取面２０に対して鉛直に延在している。突出部２ａ’、２ｂ’は略三角形をなし、読取面２０に対する突出部２ａ’、２ｂ’の高さは上縁部２０２から下縁部２０１に向かって低くなっている。
【００５２】
本実施形態においても、読取面２０の接地面に対する傾斜角αはタッチパネル３の接地面に対する傾斜角βよりも小さい。タッチパネル３の傾斜角βは好ましくは５５°乃至９５°であって、読取面の傾斜角αはタッチパネル３の傾斜角βよりも２０°乃至４０°小さいことが好ましい。第１実施形態と同様に、読取面２０の傾斜角αを４５°、タッチパネル３の傾斜角を７５°としても良い。このように、読取面２０の傾斜角αをタッチパネル３の傾斜角βよりも小さくすることにより、ユーザは自然な姿勢でタッチパネル３を操作しながら読取面２０において対象物を読み取らせることが可能となる。
【００５３】
本実施形態においては、下縁部２０１における角度γ’は第１実施形態における角度γよりも小さい。このため、第１実施形態よりも冊子の綴じ部を下縁部２０１にさらに合わせ易くなり、旅券に印字された情報を読取部２によって正確に読み取ることが可能となる。また、本実施形態においても、突出部２ａ’、２ｂ’が設けられており、さらに上側のフロントパネル１０ａ’は突出部として機能し得る。従って、突出部２ａ’、２ｂ’、上側のフロントパネル１０ａ’によって囲まれた空間に、対象物を位置させることができ、読取面２０に対する対象物の位置を正しく定めることができる。
【００５４】
なお、突出部２ａ’、２ｂ’の形状、位置は必ずしも上述の例に限定されない。突出部２ａ’、２ｂ’のいずれか一方のみを設けてもよく、上側のフロントパネル１０ａ’のみを突出部として用いても良い。読取面２０の周縁部のうちの上縁部２０２の少なくとも一部にのみに突出部を設けても良い。この場合においても、対象物の端部を突出部に当接させることにより、読取面２０における対象物の位置を定めることができ、正確に対象物から情報を読み取ることができる。
【００５５】
［第３実施形態］
続いて、本実施形態における情報処理装置を説明する。以下の説明において、第２実施形態と異なる構成を中心に説明し、第２実施形態と同様の構成についてはその説明を省略する。
【００５６】
図８は本実施形態における情報処理装置の断面図であって、サイドパネル１０ｃ、１０ｄに平行な面で読取部２を破断した断面図を表している。第２実施形態においては、上側のフロントパネル１０ａ’が突出部として機能していたが、本実施形態においてはフロントパネル１０ａ’とは別に突出部２ｃ’が形成されている。突出部２ｃ’は、読取面２０の上縁部２０２の少なくとも一部から突出して形成されている。突出部２ｃ’は屈曲した板状をなし、読取面２０に対して鉛直な下板部と、下板部の上端から屈曲して延在した上板部とを含んでいる。上板部は例えば接地面に対して平行に形成され、読取面２０の上方の一部を覆っている。
【００５７】
本実施形態において、突出部２ｃ’の下板部は読取面２０に対して鉛直に形成されているため、上側のフロントパネル１０ａ’を突出部として用いる場合に比べて、対象物の位置を突出部２ｃ’において確実に制止することができる。また、突出部２ｃ’の上板部は読取面２０の上方の一部を覆っているため、外部照明の光が読取面２０に入射するのを回避することが可能となる。
【００５８】
さらに、本実施形態においても、第１実施形態、第２実施形態と同様の効果を奏することが可能である。読取面２０は傾斜しているとともに、読取面２０の下縁部２０１には突出部が形成されていない。このため、ユーザが対象物を読取面２０に置き忘れたとしても、対象物が読取面２０から滑り落ちるため、ユーザは対象物の置き忘れに即座に気付くことができる。また、タッチパネル３、読取部２はそれぞれの操作に適した傾斜角を有するため、ユーザは自然な姿勢でタッチパネル３、読取部２を操作することができる。さらに、読取面２０の下縁部２０１は角部を構成しているため、旅券のように冊子状の対象物の綴じ部を下縁部２０１に合わせることができ、冊子状の対象物を読取面２０において正しい位置に定めることができる。
【００５９】
なお、突出部２ｃ’を板状の部材によって形成する代わりに、棒状の部材によって突出部２ｃ’を形成しても良い。突出部２ｃ’は上述の例に限定されるものではなく、突出部２ｃ’が対象物の位置を上縁部２０２によって定め得るものであれば、その形状を問わない。また、第１の側縁部２０３、第２の側縁部２０４において、第２実施形態における突出部２ａ’、２ｂ’を形成しても良い。これにより、さらに対象物の位置を正確に定めることができるとともに、外部からの照射光を遮断することが可能となる。
【００６０】
［第４の実施形態］
図９は本実施形態における情報処理装置のブロック図である。本実施形態における情報処理装置１は、傾斜した読取面２０を有するとともに、読取面２０に対向する対象物から情報を読み取る読取部２と、読取面２０の周縁部のうち、上縁部の少なくとも一部に形成された突出部２ｃとを備える。本実施形態によれば、上縁部の少なくとも一部に突出部２ｃが形成されている。このため、読取面における対象物の位置を突出部２ｃによって適切な位置に導くことができ、対象物から情報を適切に読み取ることができる。
【００６１】
上述の実施形態の一部または全部は、以下の付記のようにも記載されうるが、以下には限られない。
【００６２】
（付記１）
傾斜した読取面を有するとともに、前記読取面に対向する対象物から情報を読み取る読取部と、
前記読取面の周縁部のうち、上縁部の少なくとも一部に形成された突出部と、
を備えることを特徴とする情報処理装置。
【００６３】
（付記２）
凹部が形成されたフロントパネルを備え、
前記読取部は前記凹部内に設けられ、前記突出部は前記凹部の内壁によって形成されることを特徴とする付記１に記載の情報処理装置。
【００６４】
（付記３）
前記読取面は、前記上縁部に対向する下縁部と、前記下縁部および前記上縁部のそれぞれの端部を繋ぐ第１の側縁部および第２の側縁部とを備え、
前記突出部は、前記第１の側縁部に形成された第１の突出部と、前記第２の側縁部に形成された第２の突出部と、前記上縁部に形成された第３の突出部とを含み、
前記第１の突出部および前記第２の突出部の前記読取面に対するそれぞれの高さは、前記上縁部から前記下縁部に向かって低くなる付記２に記載の情報処理装置。
【００６５】
（付記４）
タッチパネルを更に備え、
前記読取面の接地面に対する傾斜角は前記タッチパネルの接地面に対する傾斜角よりも小さいことを特徴とする付記１乃至３のいずれかに記載の情報処理装置。
【００６６】
（付記５）
前記読取面の接地面に対する傾斜角は３５°乃至５５°であることを特徴とする付記４に記載の情報処理装置。
【００６７】
（付記６）
前記読取面の接地面に対する傾斜角は前記タッチパネルの接地面に対する傾斜角よりも２０°乃至４０°小さいことを特徴とする付記４に記載の情報処理装置。
【００６８】
（付記７）
前記読取部の上方に設けられるととともに、前記対象物の所有者を認証するための認証情報入力部を備えることを特徴とする付記１乃至６のいずれかに記載の情報処理装置。
【００６９】
（付記８）
前記読取部と前記タッチパネルとの間に設けられた磁気カード読み取り部を備えることを特徴とする付記４に記載の情報処理装置。
【００７０】
（付記９）
前記読取部の前記上縁部に対向する下縁部の長さは、旅券の長辺よりも長いことを特徴とする付記１または２に記載の情報処理装置。
【符号の説明】
【００７１】
１  情報処理装置
２  読取部
２ａ、２ｂ、２ｃ、２ａ’、２ｂ’、２ｃ’  突出部
２０１  下縁部
２０２  上縁部
２０３  第１の側縁部
２０４  第２の側縁部
３ａ  タッチセンサ
３ｂ  ディスプレイ
４  カード処理部
４ａ  カードリーダ
４ｂ  表示部
４ｃ  操作ボタン
５  磁気リーダ
６  プリンタ
７  硬貨投入口
７ａ  硬貨処理部
８  紙幣入出金口
８ａ  紙幣処理部
９  つり銭出金口
１０ａ、１０ｂ  フロントパネル
１０ｃ、１０ｄ  サイドパネル
１１  板部
１５  サーバ
１０１  ＣＰＵ
１０２  ＲＯＭ
１０３  ＲＡＭ
１０４  ＨＤＤ
１０５  ＬＡＮ  Ｉ／Ｆ
１０６  音声処理部
５０１  携帯端末
５０２  旅券
５０２ａ  ページ
５０２ｂ  綴じ部
【図１】
2019153148.tif 000003
【図２】
2019153148.tif 000004
【図３】
2019153148.tif 000005
【図４】
2019153148.tif 000006
【図５】
2019153148.tif 000007
【図６】
2019153148.tif 000008
【図７】
2019153148.tif 000009
【図８】
2019153148.tif 000010
【図９】
2019153148.tif 000011